(57)【要約】【課題】ユーザに対してネットワークの設定を意識させずに、適切なネットワークインターフェイス回路にデフォルトゲートウェイ設定を行う。【解決手段】複数のネットワークインターフェイス回路の中の少なくとも１つのネットワークインターフェイス回路が他のネットワークインターフェイス回路よりも速い公称通信速度を有するネットワークインターフェイス回路と、複数のネットワークインターフェイス回路に対応するＩＰアドレスとゲートウェイアドレスとを取得可能なネットワークアドレス取得部と、デフォルトゲートウェイ設定部と、を備える。デフォルトゲートウェイ設定部は、ゲートウェイアドレスの供給を受けている１つ以上のネットワークインターフェイス回路の中から公称通信速度の最も速いネットワークインターフェイス回路を選択し、デフォルトゲートウェイ設定を行う自動設定モードを有する。【選択図】図１
2018064167.tif 000002
【特許請求の範囲】
【請求項１】
ネットワークに接続可能なネットワーク装置であって、
ネットワークに接続可能な複数のネットワークインターフェイス回路であって、前記複数のネットワークインターフェイス回路の中の少なくとも１つのネットワークインターフェイス回路が他のネットワークインターフェイス回路よりも速い公称通信速度を有する複数のネットワークインターフェイス回路と、
前記複数のネットワークインターフェイス回路がそれぞれ接続されるネットワークに接続されているＤＨＣＰサーバから、前記複数のネットワークインターフェイス回路に対応するＩＰアドレスと、前記複数のネットワークインターフェイス回路がそれぞれ接続されるネットワークから外部のネットワークへネットワークパケットを送る時に使用される中継機器であるゲートウェイのＩＰアドレスであるゲートウェイアドレスと、を取得可能なネットワークアドレス取得部と、
前記ネットワーク装置から送信先までの経路が不明なネットワークパケットが送られる場合に使用される１つのネットワークインターフェイス回路を前記複数のネットワークインターフェイス回路の中から選択し、前記１つのネットワークインターフェイス回路に対応するゲートウェイアドレスをデフォルトゲートウェイアドレスとして設定するデフォルトゲートウェイ設定を行うデフォルトゲートウェイ設定部と、
を備え、
前記デフォルトゲートウェイ設定部は、前記ネットワークアドレス取得部が前記ゲートウェイアドレスを取得した１つ以上のネットワークインターフェイス回路の中から公称通信速度の最も速いネットワークインターフェイス回路を選択し、選択されたネットワークインターフェイス回路に対応するゲートウェイアドレスを前記デフォルトゲートウェイアドレスとして設定する自動設定モードを有する、
ネットワーク装置。
【請求項２】
請求項１に記載のネットワーク装置であって、
前記デフォルトゲートウェイ設定部は、ユーザが前記デフォルトゲートウェイアドレスを入力可能なデフォルトゲートウェイアドレス固定モードを有し、
前記デフォルトゲートウェイアドレス固定モードにおいて、前記ユーザによって入力されたデフォルトゲートウェイアドレスである入力デフォルトゲートウェイアドレスのネットワーク部と同じネットワーク部を有するＩＰアドレスを前記ネットワークアドレス取得部が取得した１つ以上のネットワークインターフェイス回路の中から公称通信速度の最も速いネットワークインターフェイス回路を選択し、選択されたネットワークインターフェイス回路に前記入力デフォルトゲートウェイアドレスを前記デフォルトゲートウェイアドレスとして設定する、
ネットワーク装置。
【請求項３】
請求項１または２に記載のネットワーク装置であって、
前記複数のネットワークインターフェイス回路は、１以上の無線ネットワークインターフェイス回路と、１以上の有線ネットワークインターフェイス回路と、の少なくとも一方を含む、ネットワーク装置。
【請求項４】
請求項１から３のいずれか一項に記載のネットワーク装置であって、
前記複数のネットワークインターフェイス回路は、
第１公称通信速度を有する第１種ネットワークインターフェイス回路と、
前記第１公称通信速度よりも低速な第２公称通信速度を有する複数の第２種ネットワークインターフェイス回路と、を含み、
前記公称通信速度の速さは、
（ｉ）前記第１種ネットワークインターフェイス回路、
（ｉｉ）２以上の前記第２種ネットワークインターフェイス回路がリンクアグリゲーションまたはＭＩＭＯを構成している場合の前記２以上の第２種ネットワークインターフェイス回路、
（ｉｉｉ）リンクアグリゲーションまたはＭＩＭＯを構成していない前記第２種ネットワークインターフェイス回路、
の順番に速い、ネットワーク装置。
【請求項５】
請求項１から４のいずれか一項に記載のネットワーク装置であって、
前記デフォルトゲートウェイ設定部は、
（ｉ）ユーザが前記デフォルトゲートウェイ設定の開始を指示したとき、
（ｉｉ）前記複数のネットワークインターフェイス回路のうちのいずれかのネットワークインターフェイス回路がリンクアップまたはリンクダウンしたとき、
（ｉｉｉ）前記ネットワーク装置が起動したとき、
のいずれかの条件が満たされたときに、前記デフォルトゲートウェイ設定を行う、ネットワーク装置。
【請求項６】
ネットワークアタッチドストレージであって、
請求項１から５のいずれか一項に記載のネットワーク装置と、
記憶部と、
を備える、ネットワークアタッチドストレージ。
【請求項７】
複数のネットワークインターフェイス回路を有し、前記複数のネットワークインターフェイス回路を用いてネットワークに接続可能なネットワーク装置であって、前記複数のネットワークインターフェイス回路の中の少なくとも１つのネットワークインターフェイス回路が他のネットワークインターフェイス回路よりも速い公称通信速度を有する複数のネットワークインターフェイス回路を有するネットワーク装置におけるデフォルトゲートウェイ設定方法であって、
前記複数のネットワークインターフェイス回路がそれぞれ接続されるネットワークに接続されているＤＨＣＰサーバから、前記複数のネットワークインターフェイス回路に対応するＩＰアドレスと、前記複数のネットワークインターフェイス回路がそれぞれ接続されるネットワークから外部のネットワークへネットワークパケットを送るとき使用される中継機器であるゲートウェイのＩＰアドレスであるゲートウェイアドレスとを取得するステップと、
前記ネットワーク装置から送信先までの経路が不明なネットワークパケットが送られる場合に使用される１つのネットワークインターフェイス回路を前記複数のネットワークインターフェイス回路の中から選択し、前記１つのネットワークインターフェイス回路に対応するゲートウェイアドレスをデフォルトゲートウェイアドレスとして設定するデフォルトゲートウェイ設定ステップと、
を備え、
前記デフォルトゲートウェイ設定ステップは、
ゲートウェイアドレスが取得された１つ以上のネットワークインターフェイス回路の中から公称通信速度の最も速いネットワークインターフェイス回路を選択し、選択されたネットワークインターフェイス回路に対応するゲートウェイアドレスを前記デフォルトゲートウェイアドレスとして設定するデフォルトゲートウェイ設定を自動的に行うステップを有する  デフォルトゲートウェイ設定方法。
【請求項８】
請求項７に記載のデフォルトゲートウェイ設定方法であって、
前記１つのゲートウェイのＩＰアドレスを前記デフォルトゲートウェイアドレスとして設定するステップは、前記デフォルトゲートウェイ設定を自動的に行うステップに加えて、ユーザが前記デフォルトゲートウェイアドレスを入力して前記デフォルトゲートウェイ設定を行うステップを有し、
前記ユーザが前記デフォルトゲートウェイアドレスを入力してデフォルトゲートウェイ設定を行うステップは、
前記ユーザによって入力されるデフォルトゲートウェイアドレスである入力デフォルトゲートウェイアドレスのネットワーク部と同じネットワーク部を有するＩＰアドレスが取得された１つ以上のネットワークインターフェイス回路の中から公称通信速度の最も速いネットワークインターフェイス回路を選択するステップと、
選択されたネットワークインターフェイス回路に前記入力デフォルトゲートウェイアドレスを前記デフォルトゲートウェイアドレスとして設定するステップと、
を備える、デフォルトゲートウェイ設定方法。
【請求項９】
請求項７または８に記載のデフォルトゲートウェイ設定方法であって、
前記複数のネットワークインターフェイス回路は、１以上の無線ネットワークインターフェイス回路と、１以上の有線ネットワークインターフェイス回路と、の少なくとも一方を含む、デフォルトゲートウェイ設定方法。
【請求項１０】
請求項７から９のいずれか一項に記載のデフォルトゲートウェイ設定方法であって、
前記複数のネットワークインターフェイス回路は、
第１公称通信速度を有する第１種ネットワークインターフェイス回路と、
前記第１公称通信速度よりも低速な第２公称通信速度を有する複数の第２種ネットワークインターフェイス回路と、を含み、前記公称通信速度の速さは、
（ｉ）前記第１種ネットワークインターフェイス回路、
（ｉｉ）２以上の前記第２種ネットワークインターフェイス回路がリンクアグリゲーションまたはＭＩＭＯを構成している場合の前記２以上の第２種ネットワークインターフェイス回路、
（ｉｉｉ）リンクアグリゲーションまたはＭＩＭＯを構成していない前記第２種ネットワークインターフェイス回路、
の順番に速い、デフォルトゲートウェイ設定方法。
【請求項１１】
請求項７から１０のいずれか一項に記載のデフォルトゲートウェイ設定方法であって、
前記デフォルトゲートウェイ設定を自動的に行うステップは、
（ｉ）ユーザが前記デフォルトゲートウェイ設定の開始を指示したとき、
（ｉｉ）前記複数のネットワークインターフェイス回路のうちのいずれかのネットワークインターフェイス回路がリンクアップまたはリンクダウンしたとき、
（ｉｉｉ）ネットワーク装置が起動したとき、
のいずれかの条件が満たされたときに、実行される、デフォルトゲートウェイ設定方法。
【発明の詳細な説明】
【技術分野】
【０００１】
本発明は、ネットワーク装置、ネットワークアッタチドストレージ及びデフォルトゲートウェイ設定方法に関する。
【背景技術】
【０００２】
ネットワークの設定、特に適切なデフォルトゲートウェイの設定は、ネットワークに詳しくないユーザにとって難しいため、ユーザにネットワークの設定を意識させない仕組み求められている。引用文献１には、複数のネットワークインターフェイス回路を有する回線選択装置が記載されている。この回線選択装置は、ネットワークとの接続に利用される複数のネットワークインターフェイス回路毎に通信速度を測定し、測定結果に基づいて、使用するネットワークインターフェイス回路を決定し、決定したネットワークインターフェイス回路を動作させて、端末装置とネットワークとを通信させる。
【先行技術文献】
【特許文献】
【０００３】
【特許文献１】特開２０１２−１９１４１６号公報
【発明の概要】
【発明が解決しようとする課題】
【０００４】
しかし、引用文献１では、ネットワークインターフェイス回路の数が多くなると、通信速度の測定に時間がかかり、ネットワークの設定に時間がかかるという問題があった。また、測定される通信速度は、測定時のネットワーク環境にも依存するため、複数のネットワーク端子の中から最も速いネットワークインターフェイス回路が選択されない可能性もある。このように、ユーザに対してネットワークの設定を意識させずに、適切なネットワークインターフェイス回路にデフォルトデートウェイを設定する技術が求められている。
【課題を解決するための手段】
【０００５】
上記した課題を達成するために、本発明は、以下の形態として実施することができる。
【０００６】
（１）本発明の一形態によれば、ネットワークに接続可能なネットワーク装置が提供される。このネットワーク装置は、ネットワークに接続可能な複数のネットワークインターフェイス回路であって、前記複数のネットワークインターフェイス回路の中の少なくとも１つのネットワークインターフェイス回路が他のネットワークインターフェイス回路よりも速い公称通信速度を有する複数のネットワークインターフェイス回路と、前記複数のネットワークインターフェイス回路がそれぞれ接続されるネットワークに接続されているＤＨＣＰサーバから、前記複数のネットワークインターフェイス回路に対応するＩＰアドレスと、前記複数のネットワークインターフェイス回路がそれぞれ接続されるネットワークから外部のネットワークへネットワークパケットを送る時に使用される中継機器であるゲートウェイのＩＰアドレスであるゲートウェイアドレスと、を取得可能なネットワークアドレス取得部と、前記ネットワーク装置から送信先までの経路が不明なネットワークパケットが送られる場合に使用される１つのネットワークインターフェイス回路を前記複数のネットワークインターフェイス回路の中から選択し、前記１つのネットワークインターフェイス回路に対応するゲートウェイアドレスをデフォルトゲートウェイアドレスとして設定するデフォルトゲートウェイ設定を行うデフォルトゲートウェイ設定部と、を備える。前記デフォルトゲートウェイ設定部は、前記ネットワークアドレス取得部が前記ゲートウェイアドレスを取得した１つ以上のネットワークインターフェイス回路の中から公称通信速度の最も速いネットワークインターフェイス回路を選択し、選択されたネットワークインターフェイス回路に、対応するゲートウェイアドレスを前記デフォルトゲートウェイアドレスとして設定する自動設定モードを有する。
この形態によれば、公称通信速度の異なる複数のネットワークインターフェイス回路の中から、最も公称通信速度の速いネットワークインターフェイス回路を選択してデフォルトゲートウェイ設定を自動的に行うモードを有するので、ネットワークに詳しくないユーザでも簡単に、デフォルトゲートウェイ設定を実行できる。また、デフォルトゲートウェイ設定時に通信テストを行わなくてもよいので、短時間でデフォルトゲートウェイ設定を実行できる。
【０００７】
（２）上記形態のネットワーク装置において、前記デフォルトゲートウェイ設定部は、ユーザが前記デフォルトゲートウェイアドレスを入力可能な固定モードを有し、前記固定モードにおいて、前記ユーザによって入力されたデフォルトゲートウェイアドレスである入力デフォルトゲートウェイアドレスのネットワーク部と同じネットワーク部を有するＩＰアドレスを前記ネットワークアドレス取得部が取得した１つ以上のネットワークインターフェイス回路の中から公称通信速度の最も速いネットワークインターフェイス回路を選択し、選択されたネットワークインターフェイス回路に前記入力デフォルトゲートウェイアドレスを前記デフォルトゲートウェイアドレスとして設定してもよい。
この形態によれば、デフォルトゲートウェイアドレス固定モードにおいても、自動割り当てと同様に最も公称通信速度の速いネットワークインターフェイス回路にデフォルトゲートウェイ設定ができる。
【０００８】
（３）上記形態のネットワーク装置において、複数のネットワークインターフェイス回路は、１以上の無線ネットワークインターフェイス回路と、１以上の有線ネットワークインターフェイス回路と、の少なくとも一方を含んでもよい。
この形態によれば、ネットワークインターフェイス回路が有線だけで無く、無線の場合にもデフォルトゲートウェイ設定ができる。
【０００９】
（４）上記形態のネットワーク装置において、前記複数のネットワークインターフェイス回路は、第１公称通信速度を有する第１種ネットワークインターフェイス回路と、前記第１公称通信速度よりも低速な第２公称通信速度を有する複数の第２種ネットワークインターフェイス回路と、を含み、前記公称通信速度の速さは、（ｉ）前記第１種ネットワークインターフェイス回路、（ｉｉ）２以上の前記第２種ネットワークインターフェイス回路がリンクアグリゲーションまたはＭＩＮＯを構成している場合の前記２以上の第２種ネットワークインターフェイス回路、（ｉｉｉ）リンクアグリゲーションを構成していない前記第２種ネットワークインターフェイス回路、の順番に速くしてもよい。
この形態によれば、通信速度を実測しなくても、容易に通信速度の速いネットワークインターフェイス回路を指定できる。
【００１０】
（５）上記形態のネットワーク装置において、前記デフォルトゲートウェイ設定部は、（ｉ）ユーザが前記デフォルトゲートウェイ設定の開始を指示したとき、（ｉｉ）前記複数のネットワークインターフェイス回路のうちのいずれかのネットワークインターフェイス回路がリンクアップまたはリンクダウンしたとき、（ｉｉｉ）前記ネットワーク装置が起動したとき、のいずれかの条件が満たされたときに、前記デフォルトゲートウェイ設定を行ってもよい。
この形態によれば、ネットワーク装置のネットワーク環境が変わった時（例えば、リンクアップ、リンクダウン、ネットワーク装置の起動）またはユーザの意志により、デフォルトゲートウェイ設定を行うことができる。また、ネットワークケーブルの断線、ネットワークケーブルの外れ、ゲートウェイの停止等の不慮の事故があっても、自動的にデフォルトゲートウェイ設定ができる。
【００１１】
なお、本発明は、種々の形態で実現することが可能であり、例えば、ネットワーク装置の他、ネットワーク装置を備えるネットワークアッタチドストレージ（「ＮＡＳ」とも呼ぶ。）や、デフォルトゲートウェイ設定方法等の形態で実現することができる。
【図面の簡単な説明】
【００１２】
【図１】有線接続によるネットワークアタッチドストレージの構成を示す説明図。
【図２】ＮＡＳ及びＮＡＳが接続された第１ネットワーク構成を示す説明図。
【図３】ネットワーク設定画面の一例。
【図４】モード設定部に、選択可能な項目が表示された状態を示す説明図。
【図５】図４において、ユーザがデフォルトゲートウェイアドレス固定モードを選択した状態を示す説明図。
【図６】図４において、ユーザがネットワークインターフェイス回路固定モードを選択した状態を示す説明図。
【図７】デフォルトゲートウェイ設定のフローチャート。
【図８】ステップＳ１４０の処理を詳しく説明するフローチャート。
【図９】ステップＳ１５０の処理を詳しく説明するフローチャート。
【図１０】ＮＡＳを利用した第２ネットワーク構成を示す説明図。
【図１１】無線ＬＡＮ接続によるネットワークアタッチドストレージの構成を示す説明図。
【図１２】ＮＡＳを利用した第３ネットワーク構成を示す説明図。
【発明を実施するための形態】
【００１３】
・第１実施形態：
・・ネットワークアタッチドストレージ１００の構成：
図１は、有線接続によるネットワークアタッチドストレージ１００の構成を示す説明図である。ネットワークアタッチドストレージ１００（「ＮＡＳ１００」）は、ネットワークに接続されて使用される記憶装置である。ＮＡＳ１００は、ネットワークに接続されて使用されることからネットワーク装置に含まれる。ＮＡＳ１００は、制御部１１０と、ネットワークモジュール１２０と、ネットワークインターフェイス部１３０（以下、「ネットワークインターフェイス部を「ＮＩＣ」とも呼ぶ。）と、記憶部１７０と、を備える。
【００１４】
ＮＩＣ１３０は、ＮＡＳ１００を有線でネットワークに接続するための複数の有線ネットワークインターフェイス回路１３１、１３２、１３３、１３４（有線と無線とを区別しない場合には、「有線」を省略して「ネットワークインターフェイス回路１３１、１３２、１３３、１３４」とも呼ぶ。）を備える。なお、ネットワークインターフェイス回路は「ＮＩＦ」と略す場合があるので、図面では、「ネットワークインターフェイス回路」と記載、または「ＮＩＦ」と略して記載する。例えば、図１では、「ネットワークインターフェイス回路１３１、１３２、１３３、１３４」をそれぞれ「ＮＩＦ１、ＮＩＦ２、ＮＩＦ３、ＮＩＦ４」と略して記載している。第１実施形態では、ＮＡＳ１００は、１つのＮＩＣ１３０が複数のネットワークインターフェイス回路１３１、１３２、１３３、１３４を備える構成を採用している。但し、ＮＩＣ１３０は、１つのネットワークインターフェイス回路を備える構成であってもよい。すなわち、ＮＩＣ１３０は、複数のネットワークインターフェイス回路や１つのネットワークインターフェイス回路を備えていてもよい。
【００１５】
第１実施形態では、ネットワークインターフェイス回路１３１の公称通信速度は、１０Ｇｂｐｓであり、他のネットワークインターフェイス回路１３２、１３３、１３４の公称通信速度（１Ｇｂｐｓ）よりも速い。ここで、公称通信速度は、当該ネットワークインターフェイス回路における理論上の最高の通信速度を意味する。制御部１１０は、ネットワークインターフェイス回路１３１、１３２、１３３、１３４に問い合わせることで、公称通信速度を取得できる。ＮＡＳ１００が有するネットワークインターフェイス回路の複数の公称通信速度のうちで最も速い公称通信速度を「第１公称通信速度」と呼ぶ。また、複数の公称通信速度は、第１公称通信速度よりも低速な第２公称通速度を有する。ここで、第１公称通信速度を有するネットワークインターフェイス回路を「第１種ネットワークインターフェイス回路」と呼び、第２公称通信速度を有するネットワークインターフェイス回路を「第２種ネットワークインターフェイス回路」と呼ぶ。なお、公称通信速度の具体的な値（１０Ｇｂｐｓ、１Ｇｂｐｓ）は一例である。第１実施形態のＮＡＳ１００は、ネットワークインターフェイス回路１３１のみが第１公称通信速度を有し、他のネットワークインターフェイス回路１３２、１３３、１３４が第２公称通速度を有する構成を有しているが、ネットワークインターフェイス回路１３１、１３２の２つが第１公称通信速度（例えば１０Ｇｂｐｓ）を有し、他のネットワークインターフェイス回路１３３、１３４が第２公称通信速度（例えば１Ｇｂｐｓ）を有する構成を有していてもよい。すなわち、公称通信速度が最も速い第１公称通信速度を有するネットワークインターフェイス回路は１つのみである必要はなく、複数のネットワークインターフェイス回路１３１、１３２、１３３、１３４のうちの少なくとも１つのネットワークインターフェイス回路が、他のネットワークインターフェイス回路の交渉通信速度よりも速い第１公称通信速度を有していればよい。各ネットワークインターフェイス回路１３１、１３２、１３３、１３４は、それぞれネットワークケーブルが接続されるネットワークポート１４１、１４２、１４３、１４４を備える。本明細書では、ネットワークポートの「ポート」は、「端子」の意味で用いている。
【００１６】
ネットワークモジュール１２０は、ＮＡＳ１００の各ネットワークインターフェイス回路１３１、１３２、１３３、１３４に対して、ＩＰアドレスとサブネットマスクとゲートウェイアドレスの設定を行う。ネットワークモジュール１２０は、ネットワークアドレス取得部１２２と、デフォルトゲートウェイ設定部１２４と、ネットワーク設定ファイル１２６と、を備える。ネットワークアドレス取得部１２２は、各ネットワークインターフェイス回路１３１、１３２、１３３、１３４に対応するＩＰアドレスと、サブネットマスクと、ゲートウェイアドレスと、を取得する。ここで、ゲートウェイは、ネットワークインターフェイス回路が接続されるネットワーク（「ローカルエリアネットワーク」とも呼ぶ）からその外部のネットワーク（「外部ネットワーク」とも呼ぶ。）へネットワークパケットを送る時に使用される中継機器である。一般的に、ネットワークと他のネットワークとの両方に接続されるルーターやプロキシサーバがゲートウェイとして利用される。ゲートウェイアドレスは、そのゲートウェイのＩＰアドレスである。ローカルエリアネットワークにＤＨＣＰサーバが接続されている場合、ネットワークアドレス取得部１２２は、各ネットワークインターフェイス回路１３１、１３２、１３３、１３４に対応するＩＰアドレスと、サブネットマスクと、ゲートウェイアドレスとを、ＤＨＣＰサーバから取得できる。但し、ネットワークアドレス取得部１２２は、各ネットワークインターフェイス回路１３１、１３２、１３３、１３４に対応するＩＰアドレスと、サブネットマスクと、ゲートウェイアドレスとを、対応するＤＨＣＰサーバから取得するのではなく、ＮＡＳ１００のユーザ（管理者）が手動で入力した値を取得してもよい。
【００１７】
デフォルトゲートウェイ設定部１２４は、デフォルトゲートウェイ設定を行う。デフォルトゲートウェイ設定とは、ネットワークインターフェイス回路１３１、１３２、１３３、１３４のうちの一つのネットワークインターフェイス回路に対応するゲートウェイアドレスをネットワーク装置（ここでは、ＮＡＳ１００）のデフォルトゲートウェイアドレスとして設定することを意味する。デフォルトゲートウェイは、ＮＡＳ１００などのネットワーク装置が接続されたネットワークから外部ネットワークの送信先までの経路が不明なネットワークパケットが送られる場合に、そのネットワークパケットが送られるゲートウェイであり、デフォルトゲートウェイアドレスは、そのデフォルトゲートウェイのＩＰアドレスである。ここで、デフォルトゲートウェイが複数存在すると、ＮＡＳ１００は、複数のデフォルトゲートウェイのうちのどのデフォルトゲートウェイにネットワークパケットを送ればよいか決定できなくなる。従って、ＮＡＳ１００が複数のネットワークに接続され、複数のネットワークのそれぞれにゲートウェイが存在する場合であっても、デフォルトゲートウェイは、１つのみ設定される。すなわち、ネットワークインターフェイス回路１３１、１３２、１３３、１３４のうちの一つのネットワークインターフェイス回路に対応するゲートウェイアドレスがデフォルトゲートウェイアドレスとして設定され、他の３つのネットワークインターフェイス回路に対応するゲートウェイアドレスは、デフォルトゲートウェイアドレスとして設定されない。なお、デフォルトゲートウェイアドレスが全く設定されない場合、ＮＡＳ１００は、ＮＡＳ１００が接続されるネットワークの外の送信先までの経路が不明なネットワークパケットを送ることができない。
【００１８】
ネットワーク設定ファイル１２６は、各ネットワークインターフェイス回路１３１、１３２、１３３、１３４について、（ｉ）ＩＰアドレス、サブネットマスク、ゲートウェイアドレスをＤＨＣＰサーバから取得するか否か、（ｉｉ）ＩＰアドレス、サブネットマスク、デフォルトゲートウェイアドレスが既に設定されている場合にはこれらの具体的な値、（ｉｉｉ）デフォルトゲートウェイの設定モードは何か、（ｉｖ）リンクアグリゲーションを構成するネットワークインターフェイス回路があるか、（ｖ）リンクアグリゲーションを構成するネットワークインターフェイス回路はどれか、等のネットワークの設定内容が格納されている。
【００１９】
デフォルトゲートウェイの設定モードとは、デフォルトゲートウェイをどのように設定するかを示すものであり、後述する「自動設定モード」、「デフォルトゲートウェイアドレス固定モード」、「ネットワークインターフェイス回路固定モード」を含む。リンクアグリゲーションとは、複数の物理的なネットワークインターフェイス回路をまとめて１つの仮想的なインターフェイス回路を形成することで、通信速度や耐故障性を向上させる技術であり、ＩＥＥＥ８０２．３ａｄにより規定されている。なお、リンクアグリゲーションは、「ボンディング」、「チーミング」、「ポートトランキング」、「トランキング」とも呼ばれる。
【００２０】
記憶部１７０は、例えば、ハードディスク装置（ＨＤＤ）や、ソリッドステートドライブ装置（ＳＳＤ）により構成されている。記憶部１７０は、磁気テープを含んでいてもよい。
【００２１】
・・第１ネットワーク構成：
図２は、ＮＡＳ１００及びＮＡＳ１００が接続された第１ネットワーク構成を示す説明図である。ＮＡＳ１００は、３つのネットワーク３０１、３０２、３０３に接続されている。
【００２２】
ＮＡＳ１００のネットワークポート１４１は、ネットワークケーブル３１１により、ローカルエリアネットワークである第１ネットワーク３０１に接続されている。第１ネットワーク３０１には、第１ゲートウェイ２０１と第１ＤＨＣＰサーバ２１１が接続されている。ＤＨＣＰサーバは、ＩＰアドレス、サブネットマスク、ゲートウェイアドレスを自動的に割り当てるプロトコル（Dynamic Host Configuration Protocol）を実行できるサーバである。第１ＤＨＣＰサーバ２１１は、第１ネットワーク３０１に接続されている装置からＩＰアドレス、サブネットマスク、ゲートウェイアドレスの割り当て要求があったときに、これらの装置にＩＰアドレス、サブネットマスク、ゲートウェイアドレスを自動的に割り当てる。この例では、第１ネットワーク構成における第１ゲートウェイ２０１のＩＰアドレスは、”１９２．１６８．１．１”であり、サブネットマスクは、”２５５．２５５．２５５．０”である。なお、図２では、第１ゲートウェイ２０１のＩＰアドレスとサブネットマスクについて、”１９２．１６８．１．１／２４”と表記している。ここで、”／２４”は、サブネットマスクの全３２ビットのうちの上位２４ビットが”１”であり、残りの下位８ビットが”０”であることを意味している。第１ゲートウェイ２０１は、外部ネットワークである第４ネットワーク３０４にも接続されている。第１ゲートウェイ２０１は、第１ネットワーク３０１と第４ネットワーク３０４との間に設けられた中継機器である。
【００２３】
ＮＡＳ１００のネットワークポート１４２は、ネットワークケーブル３１２により、スイッチングハブ３２０のネットワークポート３２２に接続され、ＮＡＳ１００のネットワークポート１４３は、ネットワークケーブル３１３により、スイッチングハブ３２０のネットワークポート３２３に接続されている。ＮＡＳ１００及びスイッチングハブ３２０は、いずれもリンクアグリゲーション構成が可能な装置であり、ＮＡＳ１００のネットワークポート１４２とスイッチングハブ３２０のネットワークポート３２２とを結ぶ回線及び、ＮＡＳ１００のネットワークポート１４３とスイッチングハブ３２０のネットワークポート３２３とを結ぶ回線は、リンクアグリゲーションを構成し、１つの仮想的な回線を構成している。スイッチングハブ３２０のネットワークポート３２５は、ネットワークケーブル３１５により、ローカルエリアネットワークである第２ネットワーク３０２に接続されている。第２ネットワーク３０２には、第２ゲートウェイ２０２と第２ＤＨＣＰサーバ２１２が接続されている。第２ＤＨＣＰサーバ２１２は、第２ネットワーク３０２に接続されている装置からＩＰアドレス、サブネットマスク、ゲートウェイアドレスの割り当て要求があったときに、これらの装置にＩＰアドレス、サブネットマスク、ゲートウェイアドレスを自動的に割り当てる。第２ゲートウェイ２０２のＩＰアドレスは、”１９２．１６８．２．１”であり、サブネットマスクは、”２５５．２５５．２５５．０”である。なお、図２では、第２ゲートウェイ２０２のＩＰアドレスとサブネットマスクについて、”１９２．１６８．２．１／２４”と表記している。
【００２４】
ＮＡＳ１００のネットワークポート１４４は、ネットワークケーブル３１４により、ローカルエリアネットワークである第３ネットワーク３０３に接続されている。第３ネットワーク３０３には、第３ゲートウェイ２０３と第３ＤＨＣＰサーバ２１３が接続されている。第３ＤＨＣＰサーバ２１３は、第３ネットワーク３０３に接続されている装置からＩＰアドレス、サブネットマスク、ゲートウェイアドレスの割り当て要求があったときに、これらの装置にＩＰアドレス、サブネットマスク、ゲートウェイアドレスを自動的に割り当てる。第３ゲートウェイ２０３のＩＰアドレス”１９２．１６８．３．１”であり、サブネットマスクは、”２５５．２５５．２５５．０”である。なお、図２では、第３ゲートウェイ２０３のＩＰアドレスとサブネットマスクについて、”１９２．１６８．３．１／２４”と表記している。
【００２５】
ＮＡＳ１００のデフォルトゲートウェイ設定部１２４は、ユーザからデフォルトゲートウェイの設定の開始の指示がされた場合、あるいは、ネットワークの状態が変更した場合にデフォルトゲートウェイの設定を行う。まず、デフォルトゲートウェイの設定モードについて説明する。第１の実施形態では、デフォルトゲートウェイの設定モードとして、以下の３つの設定モードを有している。
【００２６】
（１）自動設定モード：デフォルトゲートウェイアドレスの設定をＮＡＳ１００が行うモードである。
（２）デフォルトゲートウェイアドレス固定モード：デフォルトゲートウェイアドレスの入力をユーザが行うモードである。
（３）ネットワークインターフェイス回路固定モード：ユーザが特定のネットワークインターフェイス回路のゲートウェイをデフォルトゲートウェイとして設定するモードである。
これらのデフォルトゲートウェイアドレスの設定モードのうちのどのモードによりデフォルトゲートウェイが設定されるかは、ユーザがネットワーク設定画面から選択できる。
【００２７】
図３は、ネットワーク設定画面４００の一例である。ネットワーク設定画面４００は、ユーザが、ネットワーク３０１、３０２、３０３のいずれかのネットワークに接続されたコンピュータ（図示せず）から、ＮＡＳ１００に、例えばブラウザを用いてアクセスしたときに、そのコンピュータのディスプレイに表示される。ネットワーク設定画面４００には、ＤＨＣＰチェックボックス４１１、４１２、４１３、４１４と、ＬＡＧチェックボックス４２１、４２２、４２３、４２４と、ＩＰアドレス入力／表示部４３１、４３２、４３３、４３４と、サブネットマスク入力／表示部４４１、４４２、４４３、４４４と、モード設定部４５０と、デフォルトゲートウェイアドレス入力／表示部４６０と、ＯＫボタン４７０と、が表示される。
【００２８】
ＤＨＣＰチェックボックス４１１、４１２、４１３、４１４は、それぞれ各ネットワークインターフェイス回路１３１、１３２、１３３、１３４（図３では、「ＬＡＮポート１」、「ＬＡＮポート２」、「ＬＡＮポート３」、「ＬＡＮポート４」と記載）に設定されるＩＰアドレス、サブネットマスク、ゲートウェイアドレスをＤＨＣＰサーバ２１１、２１２、２１３から取得するか否かを示すチェックボックスである。
【００２９】
ＬＡＧチェックボックス４２１、４２２、４２３、４２４は、リンクアグリゲーションを構成するネットワークインターフェイス回路を指定するためのチェックボックスである。なお、リンクアグリゲーションを構成するためには、ＮＡＳ１００だけで無くネットワークケーブルによりネットワークインターフェイス回路に接続されるスイッチングハブ等の装置（例えば図２のスイッチングハブ３２０）についても、リンクアグリゲーションに対応できる装置であることが必要である。ＮＡＳ１００の制御部１１０は、スイッチングハブ３２０にアクセスしてネゴシエーションを行う。このネゴシエーションに成功すれば、リンクアグリゲーションを構成できる。
【００３０】
ＩＰアドレス入力／表示部４３１、４３２、４３３、４３４は、ネットワークインターフェイス回路１３１、１３２、１３３、１３４のＩＰアドレスを表示し、またはユーザに入力させるためのフィールドである。サブネットマスク入力／表示部４４１、４４２、４４３、４４４は、ネットワークインターフェイス回路１３１、１３２、１３３、１３４のサブネットマスクを表示し、またはユーザに入力させるためのフィールドである。なお、図３に示すネットワーク設定画面４００は、ネットワークインターフェイス回路１３１、１３２、１３３、１３４のゲートウェイアドレスを表示し、またはユーザに入力させるためのフィールドを有していないが、このようなフィールドを有していてもよい。
【００３１】
ＤＨＣＰチェックボックス４１１、４１２、４１３、４１４にチェックがされている場合には、チェックに対応するネットワークインターフェイス回路１３１、１３２、１３３、１３４のＩＰアドレス、サブネットマスク、ゲートウェイアドレスが、対応するＤＨＣＰサーバ２１１、２１２、２１３から取得される。そして、チェックに対応するＩＰアドレス入力／表示部４３１、４３２、４３３、４３４と、サブネットマスク入力／表示部４４１、４４２、４４３、４４４には取得されたＩＰアドレスと、サブネットマスクが表示される。
【００３２】
なお、ＤＨＣＰチェックボックス４１１、４１２、４１３、４１４にチェックがされていない場合には、対応するＤＨＣＰサーバ２１１、２１２、２１３から取得されないが、ユーザが手動でＩＰアドレスやサブネットマスクを入力してもよい。なお、全てのＤＨＣＰチェックボックス４１１、４１２、４１３、４１４にチェックがされていない場合には、ユーザは、デフォルトゲートウェイの設定モードとして、自動設定モードを選択できない。この場合、ユーザは、例えばデフォルトゲートウェイアドレス固定モードを選択し、手動でＩＰアドレスやサブネットマスク、デフォルトゲートウェイアドレスを入力する。ネットワークアドレス取得部１２２は、ＤＨＣＰチェックボックス４１１、４１２、４１３、４１４にチェックがされている場合であってユーザが手動でＩＰアドレスやサブネットマスクを入力した場合には、ユーザの入力を優先して、ＤＨＣＰチェックボックス４１１、４１２、４１３、４１４のチェックを消してもよい。但し、ネットワークアドレス取得部１２２は、ＤＨＣＰチェックボックス４１１、４１２、４１３、４１４にチェックがされている場合には、ユーザによるＩＰアドレスやサブネットマスクができないように、ＩＰアドレス入力／表示部４３１、４３２、４３３、４３４と、サブネットマスク入力／表示部４４１、４４２、４４３、４４４とをグレーアウト表示としてもよい。この場合、ユーザは、ＤＨＣＰチェックボックス４１１、４１２、４１３、４１４のチェックを消せば、ＩＰアドレス入力／表示部４３１、４３２、４３３、４３４と、サブネットマスク入力／表示部４４１、４４２、４４３、４４４に、ＩＰアドレスとサブネットマスクを入力可能である。なお、ＤＨＣＰチェックボックス４１１、４１２、４１３、４１４にチェックがされておらず、ＩＰアドレス入力／表示部４３１、４３２、４３３、４３４と、サブネットマスク入力／表示部４４１、４４２、４４３、４４４にユーザの入力もない場合には、そのネットワークインターフェイス回路には、ＩＰアドレスやサブネットマスクが設定されない。
【００３３】
図３に示す例では、ＤＨＣＰチェックボックス４１１、４１２、４１４にチェックがあり、ＬＡＮポート１、ＬＡＮポート２、ＬＡＮポート４に対応するネットワークインターフェイス回路１３１、１３２、１３４）のＩＰアドレス、サブネットマスク、ゲートウェイアドレスが対応するＤＨＣＰサーバ２１１、２１２、２１３から取得される。ＩＰアドレス入力／表示部４３１、４３２、４３４に、それらのＩＰアドレスが表示され、サブネットマスク入力／表示部４４１、４４２、４４４に、それらのサブネットマスクが表示されている。なお、図３に示す例では、ＤＨＣＰチェックボックス４１３は、チェックがされていない。これは、ＬＡＧチェックボックス４２２、４２３にチェックがされ、ネットワークインターフェイス回路１３２とネットワークインターフェイス回路１３３とがリンクアグリゲーションを構成して１つの仮想的なネットワークインターフェイス回路を形成しているからである。
【００３４】
２つのネットワークインターフェイス回路がリンクアグリゲーションを構成して仮想的なネットワークインターフェイス回路を形成している場合には、この仮想的なネットワークインターフェイス回路に対して１つのＩＰアドレス、サブネットマスク、ゲートウェイアドレスが対応するＤＨＣＰサーバ２１２から取得される。この場合、リンクアグリゲーションを構成する一方のネットワークインターフェイス回路１３２に対応するＤＨＣＰチェックボックス４１２のみチェックを受け付ければよく、他方のネットワークインターフェイス回路１３３に対応するＤＨＣＰチェックボックス４１３のチェックを受け付ける必要がない。また、図３に示す例では、リンクアグリゲーションを構成している２つのネットワークインターフェイス回路１３２、１３３のうちのネットワークインターフェイス回路１３２に対応するＬＡＮポート２のＩＰアドレス入力／表示部４３２と、サブネットマスク入力／表示部４４２にＩＰアドレスとサブネットマスクが表示されており、他方のネットワークインターフェイス回路１３３に対応するＬＡＮポート３のＩＰアドレス入力／表示部４３３と、サブネットマスク入力／表示部４４３には、ＩＰアドレスとサブネットマスクが表示されていない。このように、複数のネットワークインターフェイス回路がリンクアグリゲーションを構成している場合には、そのうちの一つのネットワークインターフェイス回路に対応するＩＰアドレス入力／表示部と、サブネットマスク入力／表示部に、代表してＩＰアドレスとサブネットマスクが表示され、他方のＩＰアドレス入力／表示部と、サブネットマスク入力／表示部には、ＩＰアドレスとサブネットマスクが表示されない。
【００３５】
第１実施形態では、ＬＡＮポート２とＬＡＮポート３のＬＡＧチェックボックス４２２、４２３にチェックがされており、ネットワークインターフェイス回路１３２とネットワークインターフェイス回路１３３とがリンクアグリゲーションを構成している。但し、３つ以上のネットワークインターフェイス回路がリンクアグリゲーションを構成してもよい。この場合、３つ以上のＩＰアドレス入力／表示部、サブネットマスク入力／表示部のうちの１つのＩＰアドレス入力／表示部、サブネットマスク入力／表示部のみにＩＰアドレスとサブネットマスクが表示される。
【００３６】
モード設定部４５０は、ユーザがデフォルトゲートウェイの設定モードを変更する場合に用いられる。モード設定部４５０は、セレクトボタン４５１を有する。ユーザがセレクトボタン４５１をクリックすると、モード設定部４５０に、選択可能な項目（デフォルトゲートウェイの設定モード）が表示される。ユーザは、選択可能な項目の中からデフォルトゲートウェイの設定モードを選択することで、デフォルトゲートウェイの設定モードを選択し、あるいは変更することができる。
【００３７】
デフォルトゲートウェイアドレス入力／表示部４６０は、設定されたデフォルトゲートウェイアドレスを表示する。また、デフォルトゲートウェイアドレス固定モードの場合には、ユーザが、デフォルトゲートウェイアドレス入力／表示部４６０にデフォルトゲートウェイアドレスを入力する。
【００３８】
図４は、モード設定部４５０に、選択可能な項目が表示された状態を示す説明図である。選択可能な項目のうち、「自動設定」は、自動設定モードに対応し、「ゲートウェイアドレス固定」は、デフォルトゲートウェイアドレス固定モードに対応し、「ＬＡＮポート１固定」「ＬＡＮポート２固定」「ＬＡＮポート３固定」「ＬＡＮポート４固定」は、ネットワークインターフェイス回路固定モードに対応する。なお、本実施形態において「ＬＡＮポート３固定」は、グレーアウト表示されており、選択できないようになっている。これは、ネットワークインターフェイス回路１３２、１３３がリンクアグリゲーションを構成しているため、ユーザは、「ＬＡＮポート２固定」を選択すればよく、「ＬＡＮポート３固定」を選択する必要がないためである。
【００３９】
・・自動設定モード：
ユーザが、図４において、モード設定部４５０の「自動設定」を選択し、ＯＫボタン４７０をクリックすると、自動設定モードに移行し、デフォルトゲートウェイアドレスを自動的に設定する。自動設定モードでは、ＮＡＳ１００が、ネットワークインターフェイス回路のうちの最も公称通信速度の速いネットワークインターフェイス回路を選択し、そのネットワークインターフェイス回路に対応するゲートウェイアドレスをＮＡＳ１００のデフォルトゲートウェイアドレスとして設定する。最も公称通信速度の速いネットワークインターフェイス回路を選択する方法については、後述する。なお、ＤＨＣＰチェックボックス４１１、４１２、４１３、４１４のいずれにもチェックがない場合には、上述したように、ユーザは、デフォルトゲートウェイの設定モードとして、自動設定モードを選択できない。この場合、ユーザは、例えばデフォルトゲートウェイアドレス固定モードを選択し、ＩＰアドレス入力／表示部４３１、４３２、４３３、４３４に必要なＩＰアドレスを入力し、サブネットマスク入力／表示部４４１、４４２、４４４に必要なサブネットマスクを入力し、デフォルトゲートウェイアドレス入力／表示部４６０にデフォルトゲートウェイアドレス（「入力デフォルトゲートウェイアドレス」と呼ぶ。）を入力する。なお、この場合、ユーザは、ネットワークインターフェイス回路固定モードを選択してもよい。
【００４０】
・・デフォルトゲートウェイアドレス固定モード：
図５は、図４において、ユーザがデフォルトゲートウェイアドレス固定モード（図５では、文字数を短くするため「デフォルトゲートウェイ固定」と記載）を選択した状態を示す説明図である。デフォルトゲートウェイアドレス固定モードでは、ユーザが、デフォルトゲートウェイアドレス固定モードの選択と、デフォルトゲートウェイアドレス入力／表示部４６０へのデフォルトゲートウェイアドレス（「入力デフォルトゲートウェイアドレス」と呼ぶ。）の入力を行う。なお、モード設定部４５０の「デフォルトゲートウェイ固定」の選択と、デフォルトゲートウェイアドレス入力／表示部４６０への入力デフォルトゲートウェイアドレスの入力は、どちらが先に行われてもよい。デフォルトゲートウェイアドレス固定モードでは、デフォルトゲートウェイ設定部１２４は、ユーザによって入力された入力デフォルトゲートウェイアドレスのネットワーク部と同じネットワーク部（例えば”１９２．１６８．１”）を有するＩＰアドレスをネットワークアドレス取得部１２２が取得した１つ以上のネットワークインターフェイス回路の中から公称通信速度の最も速いネットワークインターフェイス回路選択し、選択されたネットワークインターフェイス回路に入力デフォルトゲートウェイアドレスをデフォルトゲートウェイアドレスとして設定する。最も公称通信速度の速いネットワークインターフェイス回路を選択する方法については、後述する。
【００４１】
・・ネットワークインターフェイス回路固定モード：
図６は、図４において、ユーザがネットワークインターフェイス回路固定モードを選択した状態を示す説明図である。ネットワークインターフェイス回路固定モードでは、ユーザがデフォルトゲートウェイにネットワークパケットを送るときのネットワークインターフェイス回路を選択して固定する。ユーザにより選択されたネットワークインターフェイス回路に対応するゲートウェイがデフォルトゲートウェイとして選択される。ネットワークインターフェイス回路の選択は、ユーザがモード設定部４５０で、「ＬＡＮポート１固定」、「ＬＡＮポート２固定」、「ＬＡＮポート３固定」、「ＬＡＮポート４固定」のいずれかを選択することにより行われる。但し、「ＬＡＮポート３固定」は上述したように、グレーアウト表示されているため、選択できない。図６に示す例では、「ＬＡＮポート４固定」が選択されている。これは、ユーザが、ネットワークパケットを送るときのネットワークインターフェイス回路としてネットワークインターフェイス回路１３４を選択したことを意味する。ユーザが、図６において、ＯＫボタン４７０をクリックすると、ネットワークインターフェイス回路固定モードに移行する。
【００４２】
図７は、デフォルトゲートウェイ設定のフローチャートである。ステップＳ１００でネットワーク状態が変更された場合には、ステップＳ１１０に移行する。ここで、ネットワーク状態が変更された場合とは、以下のいずれかの条件が満たされた場合を意味する。
（ｉ）ユーザによるネットワーク設定の変更指示が有ったとき
（ｉｉ）複数のネットワークインターフェイス回路１３１、１３２、１３３、１３４のうちのいずれかのネットワークインターフェイス回路がリンクアップまたはリンクダウンしたとき
（ｉｉｉ）ＮＡＳ１００（ネットワーク装置）が起動したとき
ここで、（ｉ）において、「ユーザによるネットワーク設定の変更指示が有ったとき」とは、ユーザが、ネットワーク３０１、３０２、３０３のいずれかのネットワークに接続されたコンピュータから、ＮＡＳ１００に、例えばブラウザを用いてアクセスして、ネットワークの設定の変更指示を行ったときを意味する。（ｉｉ）において、リンクアップとは、ＮＡＳ１００のネットワークインターフェイス回路１３１、１３２、１３３、１３４のいずれかと、ネットワークとの間のケーブルを用いた通信が通信不可能状態から通信可能状態に変化したときを意味する。リンクダウンとは、ＮＡＳ１００のネットワークインターフェイス回路１３１、１３２、１３３、１３４のいずれかと、ネットワークとの間のケーブルを用いた通信が通信可能状態から通信不可能状態に変化したときを意味する。例えば、リンクダウンしたときとしては、断線や障害の他、コネクタ、ケーブル、相手の機器がなく物理的にケーブルを接続できなくて通信できないときや、物理的なケーブルの接続に問題は無いが、相手の機器の電源が入っていない、あるいは、故障により通信できないときが含まれる。
【００４３】
ステップＳ１１０では、ネットワークモジュール１２０は、ネットワーク設定ファイル１２６（図１）を読み込む。このネットワーク設定ファイル１２６には、前回のネットワークの設定において、図３により設定された内容、具体的には、各ネットワークインターフェイス回路１３１、１３２、１３３、１３４について、（ｉ）ＩＰアドレス、サブネットマスク、ゲートウェイアドレスをＤＨＣＰサーバから取得するか否か、（ｉｉ）ＩＰアドレス、サブネットマスク、デフォルトゲートウェイアドレスが既に設定されている場合にはこれらの具体的な値、（ｉｉｉ）デフォルトゲートウェイの設定モード、（ｉｖ）リンクアグリゲーションを構成するネットワークインターフェイス回路があるか、（ｖ）リンクアグリゲーションを構成するネットワークインターフェイス回路はどれか、等のネットワークの設定内容が格納されている。なお、ＮＡＳ１００の最初の起動時には、ネットワークの設定内容のデフォルト値が格納されている。なお、デフォルト値では、デフォルトゲートウェイの設定モードは、自動設定モードであることが好ましい。デフォルトゲートウェイアドレス固定モードでは、ユーザによるデフォルトゲートウェイアドレスの入力が必要であり、ネットワークインターフェイス固定モードでは、ユーザによるネットワークインターフェイスの選択が必要であるが、最初の起動時には、これらがユーザから入力あるいは選択されていないからである。また、デフォルト値では、リンクアグリゲーションは設定されていない。
【００４４】
ステップＳ１２０では、ネットワークアドレス取得部１２２は、ネットワークインターフェイス回路１３１、１３２、１３３、１３４の現在の状態、例えば各ネットワークインターフェイス回路１３１、１３２、１３３、１３４がリンクアップしているかリンクダウンしているかを取得する。そして、ステップＳ１１０で読み込んだネットワーク設定ファイル１２６において、ＩＰアドレス、サブネットマスク、ゲートウェイアドレスをＤＨＣＰサーバから取得すると設定されている場合には、ネットワークアドレス取得部１２２は、ネットワークインターフェイス回路１３１、１３２、１３３、１３４のＩＰアドレスやサブネットマスク、ゲートウェイアドレスを対応するＤＨＣＰサーバ２１１、２１２、２１３から取得し、ネットワーク設定ファイル１２６の値と異なっていれば、取得した値を用いる。ＩＰアドレス、サブネットマスク、ゲートウェイアドレスをＤＨＣＰサーバから取得すると設定されていない場合には、ネットワークアドレス取得部１２２は、これらの値として、ネットワーク設定ファイル１２６から読み込んだ値を用いる。
【００４５】
ステップＳ１３０では、デフォルトゲートウェイ設定部１２４は、ステップＳ１１０で読み込んだデフォルトゲートウェイの設定モードに従って、（ｉ）自動設定モード、（ｉｉ）デフォルトゲートウェイアドレス固定モード、（ｉｉｉ）ネットワークインターフェイス回路固定モード、の３つのモードのうちのいずれのモードでデフォルトゲートウェイ設定するか、を決定し処理を分岐する。なお、ステップＳ１００において、（ｉ）の「ユーザによるネットワーク設定の変更指示が有ったとき」に該当する場合には、ステップＳ１３０では、ユーザがＮＡＳ１００へのアクセスに用いたコンピュータのディスプレイに、図３に示すネットワーク設定画面４００を表示し、ユーザから指示、あるいは入力を受け付けて、処理を分岐する。具体的には、デフォルトゲートウェイ設定部１２４は、自動設定モードの場合には、ステップＳ１４０に分岐し、デフォルトゲートウェイアドレス固定モードの場合には、ステップＳ１５０に分岐し、ネットワークインターフェイス回路固定モードの場合には、ステップＳ１６０に分岐する。
【００４６】
・・自動設定モードの詳細：
ステップＳ１４０では、リンクアップしているネットワークインターフェイス回路が有るか否かを判断する。リンクアップしているネットワークインターフェイス回路が複数有れば、リンクアップしているネットワークインターフェイス回路の中から最も公称通信速度の速いネットワークインターフェイス回路が選択され、ステップＳ１７０に移行する。リンクアップしているネットワークインターフェイス回路が無ければ、ステップＳ１９０に移行する。
【００４７】
図８は、ステップＳ１４０の処理を詳しく説明するフローチャートである。ステップＳ１４０では、デフォルトゲートウェイ設定部１２４は、最も公称通信速度の速いネットワークインターフェイス回路から順番に、そのネットワークインターフェイス回路がリンクアップしているか否かを判断する。ネットワークインターフェイス回路がリンクアップしているか否かは、例えば、そのネットワークインターフェイス回路に対するＩＰアドレスやサブネットマスク、ゲートウェイアドレスを取得できたか否かにより判断できる。なお、第１実施形態におけるネットワークインターフェイス回路の公称通信速度の順番は、以下の通りである。
（ｉ）第１種ネットワークインターフェイス回路（ネットワークインターフェイス回路１３１）
（ｉｉ）リンクアグリゲーションを構成している第２種ネットワークインターフェイス回路（ネットワークインターフェイス回路１３２、１３３）
（ｉｉｉ）リンクアグリゲーションを構成していない第２種ネットワークインターフェイス回路（ネットワークインターフェイス回路１３４）
【００４８】
ステップＳ１４１では、デフォルトゲートウェイ設定部１２４は、最も公称通信速度の速い第１種ネットワークインターフェイス回路（第１実施形態では、第１種ネットワークインターフェイス回路であるネットワークインターフェイス回路１３１）からゲートウェイアドレスを取得できたか否かを判断する。最も公称通信速度の速い第１種ネットワークインターフェイス回路１３１からゲートウェイアドレスを取得できていれば、他のネットワークインターフェイス回路からゲートウェイアドレスを取得する必要がないので、ステップＳ１４５に移行する。最も公称通信速度の速い第１種ネットワークインターフェイス回路１３１からゲートウェイアドレスを取得できていなければ、ステップＳ１４２に移行する。なお、デフォルトゲートウェイ設定部１２４は、第１種ネットワークインターフェイス回路が複数ある場合には、その中からネットワークインターフェイス回路に与えられたデバイス番号の若い順にゲートウェイアドレスを取得できたか否かを判断する。デバイス番号とは、デバイスマネージャにより認識された順番に従って自動的に付与される番号であり、例えば、ｅｔｈｎ（ｎは０以上の整数）で表される。「デバイス番号の若い順」とはｅｔｈｎの「ｎ」の小さい順である。
【００４９】
ステップＳ１４２では、デフォルトゲートウェイ設定部１２４は、リンクアグリゲーションを構成する第２種ネットワークインターフェイス回路（第１実施形態では、リンクアグリゲーションを構成している第２種ネットワークインターフェイス回路であるネットワークインターフェイス回路１３２、１３３）からゲートウェイアドレスを取得できたか否かを判断する。リンクアグリゲーションを構成する第２種ネットワークインターフェイス回路１３２、１３３からゲートウェイアドレスを取得できていれば、他のネットワークインターフェイス回路からゲートウェイアドレスを取得する必要がないので、ステップＳ１４５に移行する。リンクアグリゲーションを構成する第２種ネットワークインターフェイス回路１３２、１３３からゲートウェイアドレスを取得できていなければ、ステップＳ１４３に移行する。
【００５０】
ステップＳ１４３では、デフォルトゲートウェイ設定部１２４は、最も公称通信速度の速い第１種ネットワークインターフェイス回路１３１と、リンクアグリゲーションを構成する第２種ネットワークインターフェイス回路１３２、１３３以外の他の第２種ネットワークインターフェイス回路（第１実施形態では、リンクアグリゲーションを構成していない第２種ネットワークインターフェイス回路１３４）からゲートウェイアドレスを取得できたか否かを判断する。他の第２種ネットワークインターフェイス回路１３４からゲートウェイアドレスを取得できていれば、ステップＳ１４５に移行し、他の第２種ネットワークインターフェイス回路１３４からゲートウェイアドレスを取得できていなければ、ステップＳ１４４に移行する。なお、デフォルトゲートウェイ設定部１２４は、第２種ネットワークインターフェイス回路が複数ある場合には、その中からネットワークインターフェイス回路に与えられたデバイス番号の若い順にゲートウェイアドレスを取得できたか否かを判断する。
【００５１】
ステップＳ１４４では、デフォルトゲートウェイ設定部１２４は、割り当てネットワークインターフェイス回路なしと判定し、図７のステップＳ１９０に移行する。ステップＳ１４５では、デフォルトゲートウェイ設定部１２４は、ゲートウェイアドレスを取得したネットワークインターフェイス回路を割り当てネットワークインターフェイス回路に選定して、図７のステップＳ１７０に移行する。
【００５２】
図７のステップＳ１７０では、デフォルトゲートウェイ設定部１２４は、割り当てネットワークインターフェイス回路に対応するゲートウェイアドレスをデフォルトゲートウェイアドレスとして設定する。
【００５３】
ステップＳ１８０において、デフォルトゲートウェイ設定部１２４は、ネットワーク設定ファイル１２６を更新する。一方、ステップＳ１９０では、どのネットワークインターフェイス回路にも、デフォルトゲートウェイアドレスは設定されない。この場合、ＮＡＳ１００から外部の送信先にネットワークパケットを送ることができない。
【００５４】
・デフォルトゲートウェイアドレス固定モードの詳細：
ステップＳ１５０では、デフォルトゲートウェイ設定部１２４は、入力デフォルトゲートウェイアドレス（図５の例では、”１９２．１６８．１．１”）のネットワーク部と同じネットワーク部を有するＩＰアドレスをネットワークアドレス取得部１２２が取得したネットワークインターフェイス回路が有るか否かを判断する。ここで、入力デフォルトゲートウェイアドレスは、ユーザがデフォルトゲートウェイとして用いるために入力したアドレスである。ステップＳ１００において（ｉｉ）複数のネットワークインターフェイス回路１３１、１３２、１３３、１３４のうちのいずれかのネットワークインターフェイス回路がリンクアップまたはリンクダウンしたとき、（ｉｉｉ）ＮＡＳ１００（ネットワーク装置）が起動したとき、であって、前回のデフォルトゲートウェイの設定がデフォルトゲートウェイアドレス固定モードで行われたときには、ネットワーク設定ファイル１２６に格納されたデフォルトゲートウェイアドレスが入力デフォルトゲートウェイアドレスとして用いられる。
【００５５】
ＩＰアドレスのネットワーク部は、そのＩＰアドレスが属しているネットワークを他のネットワークと識別するための部分であり、ＩＰアドレスのうち、サブネットマスクの”１”と重なる部分である。例えば、サブネットマスクが”２５５．２５５．２５５．０”である場合、サブネットマスクは、全３２ビット中の上位２４ビットが”１”であり、下位８ビットが”０”である。この場合、ＩＰアドレスのネットワーク部は、サブネットマスクの”１”と重なる部分、すなわちＩＰアドレスの上位２４ビットと対応する部分である。なお、ＩＰアドレス下位８ビットは、「ホスト部」と呼ばれる。例えば、ネットワークインターフェイス回路１３１に付与されたＩＰアドレスが”１９２．１６８．１．２”、サブネットマスクが”２５５．２５５．２５５．０”である場合、ネットワークインターフェイス回路１３１のネットワーク部は、”１９２．１６８．１”であり、ホスト部は、”２”である。
【００５６】
同じネットワーク部を有するＩＰアドレスが取得されたネットワークインターフェイス回路が複数あれば、その中から最も公称通信速度の速いネットワークインターフェイス回路が選択され、ステップＳ１７０に移行する。同じネットワーク部を有するＩＰアドレスが取得されたネットワークインターフェイス回路が無ければ、ステップＳ１９０に移行する。
【００５７】
図９は、ステップＳ１５０の処理を詳しく説明するフローチャートである。ステップＳ１５１では、デフォルトゲートウェイ設定部１２４は、リンクアップしているネットワークインターフェイス回路のうち、最も公称通信速度の速い第１種ネットワークインターフェイス回路（第１実施形態では、ネットワークインターフェイス回路１３１）のＩＰアドレスのネットワーク部が、入力デフォルトゲートウェイアドレスのネットワーク部と同一か否かを判断し、同一であれば、ステップＳ１５５に移行し、同一でなければ、ステップＳ１５２に移行する。
【００５８】
ステップＳ１５２では、デフォルトゲートウェイ設定部１２４は、リンクアップしているリンクアグリゲーションを構成する第２種ネットワークインターフェイス回路（第１実施形態では、ネットワークインターフェイス回路１３２、１３３）のＩＰアドレスのネットワーク部が、入力デフォルトゲートウェイアドレスのネットワーク部と同一か否かを判断し、同一であれば、ステップＳ１５５に移行し、同一でなければ、ステップＳ１５３に移行する。
【００５９】
ステップＳ１５３では、デフォルトゲートウェイ設定部１２４は、最も公称通信速度の速い第１種ネットワークインターフェイス回路１３１と、リンクアグリゲーションを構成する第２種ネットワークインターフェイス回路１３１、１３３以外のリンクアップしている第２種ネットワークインターフェイス回路１３４のＩＰアドレスのネットワーク部が、入力デフォルトゲートウェイアドレスのネットワーク部と同一か否かを判断し、同一であれば、ステップＳ１５５に移行し、同一でなければ、ステップＳ１５４に移行する。
【００６０】
ステップＳ１５４では、デフォルトゲートウェイ設定部１２４は、割り当てネットワークインターフェイス回路なしと判定し、図７のステップＳ１９０に移行する。ステップＳ１５５では、デフォルトゲートウェイ設定部１２４は、ＩＰアドレスのネットワーク部が同一のネットワークインターフェイス回路を割り当てネットワークインターフェイス回路に選定して、図７のステップＳ１７０に移行する。
【００６１】
第１実施形態において、入力デフォルトゲートウェイアドレスが、”１９２．１６８．１．１”であり、サブネットマスクが”２５５．２５５．２５５．０”であるとすると、そのネットワーク部は、”１９２．１６８．１”となる。一方、ネットワークインターフェイス回路１３１のＩＰアドレスを”１９２．１６８．１．２”とすると、そのネットワーク部は、”１９２．１６８．１”である。その結果、ステップＳ１５１で”Ｙ”となり、割り当てネットワークインターフェイス回路は、ネットワークインターフェイス回路１３１となる。
【００６２】
なお、入力デフォルトゲートウェイアドレスが、”１９２．１６８．１．１”ではなくて、例えば、”１９２．１６８．２．１”であった場合には、そのネットワーク部は、”１９２．１６８．２”となる。かかる場合、ステップＳ１５１ではネットワーク部が一致しないため、”Ｎ”となり、ステップＳ１５２に移行する。ステップＳ１５２において、リンクアグリゲーションを構成するネットワークインターフェイス回路のＩＰアドレスを”１９２．１６８．２．２”とすると、そのネットワーク部は”１９２．１６８．２”であり、入力デフォルトゲートウェイアドレスのネットワーク部と一致する。その結果、ステップＳ１５２で”Ｙ”となり、割り当てネットワークインターフェイス回路はネットワークインターフェイス回路１３２となる。
【００６３】
また、入力デフォルトゲートウェイアドレスが、例えば、”１９２．１６８．３．１”であった場合にはそのネットワーク部は、”１９２．１６８．３”であり、ステップＳ１５１とステップＳ１５２で”Ｎ”となる。この場合、その他のネットワークインターフェイス回路１３４のＩＰアドレスを”１９２．１６８．３．２”とすると、そのネットワーク部は”１９２．１６８．３”であり、入力デフォルトゲートウェイアドレスのネットワーク部と一致し、ステップＳ１５３で”Ｙ”となるので、割り当てネットワークインターフェイス回路は、ネットワークインターフェイス回路１３４となる。
【００６４】
図７のステップＳ１７０では、デフォルトゲートウェイ設定部１２４は、割り当てネットワークインターフェイス回路に入力デフォルトゲートウェイアドレスをデフォルトゲートウェイアドレスとして設定する。ステップＳ１８０において、デフォルトゲートウェイ設定部１２４は、ネットワーク設定ファイル１２６を更新する。一方、ステップＳ１９０では、どのネットワークインターフェイス回路にも、デフォルトゲートウェイアドレスは設定されない。この場合、ＮＡＳ１００から外部の送信先にネットワークパケットを送ることができない。
【００６５】
・・ネットワークインターフェイス回路固定モードの詳細：
ネットワークインターフェイス回路固定モード（図６）では、ユーザがデフォルトゲートウェイにネットワークパケットを送るときのネットワークインターフェイス回路を選択して固定する。なお、ユーザにより選択され、固定されたネットワークインターフェイス回路は、ネットワーク設定ファイル１２６に格納されている。デフォルトゲートウェイ設定部１２４は、ステップＳ１６０において、ユーザにより選択され固定されたネットワークインターフェイス回路に、例えばＤＨＣＰサーバから取得あるいは手動で入力することによりデフォルトゲートウェイアドレスを設定可能な場合には、ユーザにより選択固定されたネットワークインターフェイス回路を割り当てネットワークインターフェイス回路として、ステップＳ１７０に移行する。ステップＳ１７０では、デフォルトゲートウェイ設定部１２４は、割り当てネットワークインターフェイス回路にデフォルトゲートウェイアドレスを設定する。一方、ユーザにより選択され固定されたネットワークインターフェイス回路に、例えばＤＨＣＰサーバから取得あるいは手動による入力でデフォルトゲートウェイアドレスを設定可能でない場合には、ステップＳ１９０に移行し、デフォルトゲートウェイアドレスを設定しない。ユーザにより選択され固定されたネットワークインターフェイス回路に、例えばＤＨＣＰサーバから取得あるいは手動で入力によりデフォルトゲートウェイアドレスを設定可能でない場合とは、例えば、ユーザにより選択され固定されたネットワークインターフェイス回路がリンクアップしておらず、ＩＰアドレスをＤＨＣＰサーバから取得できない場合、あるいは、ユーザにより選択され固定されたネットワークインターフェイス回路のＩＰアドレスを手動で入力できない場合が含まれる。
【００６６】
・・第２ネットワーク構成：
図１０は、ＮＡＳ１００を利用した第２ネットワーク構成を示す説明図である。図２に示す第１ネットワーク構成では、ＮＡＳ１００のネットワークポート１４１は、第１ネットワーク３０１に接続され、ネットワークポート１４２、１４３は、第２ネットワーク３０２に接続され、ネットワークポート１４４は、第３ネットワーク３０３に接続されていたが、第１ネットワーク構成では、ネットワークポート１４１、１４２、１４３、１４４は、いずれも第１ネットワーク３０１に接続されている、すなわち、同一のローカルエリアネットワークに接続されている点が異なる。ＮＡＳ１００のネットワークポート１４１、１４２、１４３、１４４は、第１ネットワーク構成のように、異なるローカルエリアネットワークに接続されていてもよく、同一のローカルエリアネットワークに接続されていてもよい。第２ネットワーク構成のように、ＮＡＳ１００のネットワークポート１４１、１４２、１４３、１４４が同一のネットワークに接続されている場合であっても、ネットワークインターフェイス回路の公称通信速度の順番は、
（ｉ）第１種ネットワークインターフェイス回路、
（ｉｉ）２以上の第２種ネットワークインターフェイス回路がリンクアグリゲーションを構成している場合の２以上の第２種ネットワークインターフェイス回路、
（ｉｉｉ）リンクアグリゲーションを構成していない第２種ネットワークインターフェイス回路、
の順番である。従って、自動設定モード、あるいは、デフォルトゲートウェイアドレス固定モードにおいて、通信速度を実測しなくても、容易に通信速度の速いネットワークインターフェイス回路を指定でき、指定したネットワークインターフェイス回路にデフォルトゲートウェイ設定を行うことができる。
【００６７】
以上、第１実施形態によれば、公称通信速度の異なる複数のネットワークインターフェイス回路の中から、最も公称通信速度の速いネットワークインターフェイス回路を選択してデフォルトゲートウェイ設定を自動的に行う自動設定モードを有するので、ネットワークに詳しくないユーザでも簡単に、デフォルトゲートウェイ設定を実行できる。また、デフォルトゲートウェイ設定時に通信テスト（通信速度の測定）を行わなくてもよいので、短時間でデフォルトゲートウェイ設定を実行できる。
【００６８】
また、第１実施形態によれば、ユーザがデフォルトゲートウェイアドレスを入力するデフォルトゲートウェイアドレス固定モードを備えている。デフォルトゲートウェイアドレス固定モードにおいても、自動割り当てと同様に最も公称通信速度の速いネットワークインターフェイス回路から優先的にデフォルトゲートウェイ設定ができる。なお、デフォルトゲートウェイの設定モードとしては、自動設定モードを備えていれば、デフォルトゲートウェイアドレス固定モードやネットワークインターフェイス回路固定モードを備えていなくてもよい。
【００６９】
また、第１実施形態によれば、（ｉ）ユーザがデフォルトゲートウェイ設定の開始を指示した場合、（ｉｉ）ネットワークインターフェイス回路がリンクアップあるいはリンクダウンした場合、（ｉｉｉ）ＮＡＳ１００が起動した場合、において、デフォルトゲートウェイ設定を開始することが可能である。なお、ユーザがデフォルトゲートウェイ設定の開始を指示した場合には、デフォルトゲートウェイの設定モードを変更することも可能である。
【００７０】
・第２実施形態：
・・ネットワークアタッチドストレージ１０１（「ＮＡＳ１０１」と呼ぶ。）の構成：
図１１は、無線ＬＡＮ接続によるＮＡＳ１０１の構成を示す説明図である。図１に示すＮＡＳ１００との違いは、ＮＡＳ１０１は、有線通信用のＮＩＣ１３０の代わりに無線通信用のネットワークインターフェイス部１５０（以下「ＮＩＣ１５０」と呼ぶ。）を備えている点が異なる。ＮＩＣ１５０は、ネットワークに無線で接続するための複数の無線ネットワークインターフェイス回路１５１、１５２、１５３、１５４を備えている。各無線ネットワークインターフェイス回路１５１、１５２、１５３、１５４には、それぞれアンテナ１６１、１６２、１６３、１６４が接続されている。
【００７１】
各無線ネットワークインターフェイス回路１５１、１５２、１５３、１５４は、それぞれ以下の無線ＬＡＮ規格に対応している。
・無線ネットワークインターフェイス回路１５１：ＩＥＥＥ８０２．１１ａｃ，周波数帯５ＧＨｚ，帯域幅１６０ＭＨＺ，公称通信速度８６７Ｍｂｐｓ
・無線ネットワークインターフェイス回路１５２：ＩＥＥＥ８０２．１１ｎ，周波数帯５ＧＨｚ，帯域幅４０ＭＨｚ，公称通信速度１５０Ｍｂｐｓ
・無線ネットワークインターフェイス回路１５３：ＩＥＥＥ８０２．１１ｎ，周波数帯５ＧＨｚ，帯域幅４０ＭＨｚ，公称通信速度１５０Ｍｂｐｓ
・無線ネットワークインターフェイス回路１５４：ＩＥＥＥ８０２．１１ｎ，周波数帯２．４ＧＨｚ，帯域幅４０ＭＨｚ，公称通信速度１５０Ｍｂｐｓ
なお、ＩＥＥＥ８０２．１１ｎでは、２．４ＧＨｚの周波数帯及び５ＧＨｚの周波数帯を利用可能である。５ＧＨｚの周波数帯では、チャンネルを多くとれるため、混信に強く、後述するＭＩＭＯを構成しやすい。一方、２．４ＧＨｚの周波数帯は、５ＧＨｚの周波数帯に比べて障害物に強い。
【００７２】
本実施形態の無線ネットワークインターフェイス回路１５２、１５３及びアンテナ１６２、１６３は、ＭＩＭＯ（Ｍｕｌｔｉｐｌｅ  Ｉｎｐｕｔ  Ｍｕｌｔｉｐｌｅ  Ｏｕｔｐｕｔ）を構成している。ＭＩＭＯとは、複数のアンテナを使い、それぞれのアンテナから異なるデータを送信し、複数のアンテナで同時にデータを受信することで通信を高速化する技術である。なお、無線接続におけるＭＩＭＯにおいても、有線接続におけるリンクアグリゲーションと同様に、ＮＡＳ１０１と、ネットワーク側のアクセスポイントとが、ＭＩＭＯに対応していることが必要である。第２実施形態では、無線ネットワークインターフェイス回路１５２に、アンテナ１６２が接続され、無線ネットワークインターフェイス回路１５３にアンテナ１６３が接続されているが、１つの無線インターフェイス回路に２つのアンテナ１５２、１５３が接続される構成であってもよい。また、第２実施形態では、無線接続の規格として、ＩＥＥＥ８０２．１１ａｃとＩＥＥＥ８０２．１１ｎと２つの規格を用いているが、他の無線の規格として、ＩＥＥＥ８０２．１１ａｄ、ＩＥＥＥ８０２．１１ａ、ＩＥＥＥ８０２．１１ｇ、ＩＥＥＥ８０２．１１ｂの規格を用い、これらの規格に対応する無線ネットワークインターフェイス回路を用いてもよい。
【００７３】
・・第３ネットワーク構成：
図１２は、ＮＡＳ１０１を利用した第３ネットワーク構成を示す説明図である。ＮＡＳ１０１は、３つのネットワーク３０１、３０２、３０３に接続されている。ネットワーク３０１にはアクセスポイント３３１が接続され、ネットワーク３０２には、アクセスポイント３３０が接続され、ネットワーク３０３には、アクセスポイント３３４が接続されている。アクセスポイント３３１は、無線ネットワークインターフェイス回路３４１を有し、無線ネットワークインターフェイス回路３４１には、アンテナ３６１が接続されている。アクセスポイント３３０は、無線ネットワークインターフェイス回路３４２、３４３を有し、無線ネットワークインターフェイス回路３４２、３４３には、それぞれアンテナ３６２、３６３が接続されている。アクセスポイント３３４は、無線ネットワークインターフェイス回路３４４を有し、無線ネットワークインターフェイス回路３４４には、アンテナ３６４が接続されている。アンテナ１６１とアンテナ３６１との間、アンテナ１６２とアンテナ３６２との間、及びアンテナ１６３とアンテナ３６３との間は、それぞれ５ＧＨｚの周波数帯で無線接続されており、アンテナ１６４とアンテナ３６４の間は、２．４ＧＨｚの周波数帯で無線接続されている。第２実施形態では、無線ネットワークインターフェイス回路３４２、３４３に、それぞれアンテナ３６２、３６３が接続されているが、１つの無線インターフェイス回路に２つのアンテナ３６２、３６３が接続される構成であってもよい。
【００７４】
以上、第２実施形態によれば、無線インターネットワークインターフェイス回路においても、第１実施形態で説明した有線インターネットワークインターフェイス回路と同様に、デフォルトゲートウェイ設定行うことができる。すなわち、公称通信速度の異なる複数の無線ネットワークインターフェイス回路の中から、最も公称通信速度の速い無線ネットワークインターフェイス回路を選択してデフォルトゲートウェイ設定を自動的に行う自動設定モードや、ユーザが入力デフォルトゲートウェイを入力するデフォルトゲートウェイアドレス固定モードにより、デフォルトゲートウェイ設定を行うことができる。ここで、無線ネットワークインターフェイス回路における公称通信速度は、規格により定められた無線ネットワークインターフェイス回路における理論上の通信速度を意味する。また、第２実施形態において、自動設定モードや、デフォルトゲートウェイアドレス固定モードの他に、無線ネットワークインターフェイス回路固定モードによるデフォルトゲートウェイ設定も可能である。無線インターネットワークインターフェイス回路は、３Ｇ／ＬＴＥ／ＷｉＭＡＸなどの高速モバイル通信や、ＢｌｕｅＴｏｏｔｈのような近距離通信でも使用可能である（「ＬＴＥ」、「ＷｉＭＡＸ」、「ＢｌｕｅＴｏｏｔｈ」は登録商標）。
【００７５】
・変形例：
第１実施形態では、ＮＡＳ１００は、有線ネットワークインターフェイス回路１３１、１３２、１３３、１３４を有し、第２実施形態では、ＮＡＳ１０１は、無線ネットワークインターフェイス回路１５１、１５２、１５３、１５４を有していたが、ＮＡＳは、有線ネットワークインターフェイス回路と、無線ネットワークインターフェイス回路の両方を備え、有線による通信と無線による通信の両方が可能なＮＡＳであってもよい。
【００７６】
第１実施形態、第２実施形態では、ＮＡＳを例にとって説明したが、ネットワークに接続可能な装置であれば、ＮＡＳ以外のネットワーク装置にも本発明を適用可能である。
【００７７】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７８】
１００、１０１…ネットワークアタッチドストレージ（ＮＡＳ）
１１０…制御部
１２０…ネットワークモジュール
１２２…ネットワークアドレス取得部
１２４…デフォルトゲートウェイ設定部
１２６…ネットワーク設定ファイル
１３０…有線接続用のネットワークインターフェイス部（ＮＩＣ）
１３１、１３２、１３３、１３４…有線ネットワークインターフェイス回路
１４１、１４２、１４３、１４４…ネットワークポート（ネットワーク端子）
１５０…無線接続用のネットワークインターフェイス部（ＮＩＣ）
１５１、１５２、１５３、１５４…無線ネットワークインターフェイス回路
１６１、１６２、１６３、１６４…アンテナ
１７０…記憶部
２０１…第１ゲートウェイ
２０２…第２ゲートウェイ
２０３…第３ゲートウェイ
２１１…第１ＤＨＣＰサーバ
２１２…第２ＤＨＣＰサーバ
２１３…第３ＤＨＣＰサーバ
３０１…第１ネットワーク（ローカルエリアネットワーク）
３０２…第２ネットワーク（ローカルエリアネットワーク）
３０３…第３ネットワーク（ローカルエリアネットワーク）
３０４…第４ネットワーク（外部ネットワーク）
３１１、３１２、３１３、３１４、３１５…ネットワークケーブル
３２０…スイッチングハブ
３２２、３２３、３２５…ネットワークポート
３３０、３３１、３３４…アクセスポイント
３４１、３４２、３４３、３４４…無線ネットワークインターフェイス回路
３６１、３６２、３６３、３６４…アンテナ
４００…ネットワーク設定画面
４１１、４１２、４１３、４１４…ＤＨＣＰチェックボックス
４２１、４２２、４２３、４２４…ＬＡＧチェックボックス
４３１、４３２、４３３、４３４…ＩＰアドレス入力／表示部
４４１、４４２、４４３、４４４…サブネットマスク入力／表示部
４５０…モード設定部
４５１…セレクトボタン
４６０…デフォルトゲートウェイアドレス入力／表示部
４７０…ＯＫボタン
【図１】
2018064167.tif 000003
【図２】
2018064167.tif 000004
【図３】
2018064167.tif 000005
【図４】
2018064167.tif 000006
【図５】
2018064167.tif 000007
【図６】
2018064167.tif 000008
【図７】
2018064167.tif 000009
【図８】
2018064167.tif 000010
【図９】
2018064167.tif 000011
【図１０】
2018064167.tif 000012
【図１１】
2018064167.tif 000013
【図１２】
2018064167.tif 000014